(57)【要約】【課題】第１の分析装置用の第１のデータ処理装置に設定された第１の分析条件データに含まれる分析パラメータの値を、自動で第２の分析装置用の第２のデータ処理装置に設定可能な分析パラメータの値に変換する。【解決手段】項目設定部５５は、分析条件データ取得部５２により取得された第１の分析条件データに含まれる複数の第１の分析パラメータを、第１の分析装置および第２の分析装置の特性に依存する第１の項目と、第１および第２の分析装置の特性に依存しない第２の項目とに設定する。パラメータ値変換部５６は、項目設定部５５により設定された第１の項目の第１の分析パラメータの値を第２の分析装置用の第２のデータ処理装置に対応する第２の分析パラメータの値に変換し、項目設定部５５により設定された第２の項目の第１の分析パラメータの値をそのまま第２の分析パラメータの値とする。【選択図】図４
2019056610.tif 000002
【特許請求の範囲】
【請求項１】
第１の分析装置用の第１のデータ処理装置に設定された分析条件を示す第１の分析条件データを取得する分析条件データ取得部と、
前記分析条件データ取得部により取得された第１の分析条件データに含まれる複数の第１の分析パラメータを、前記第１の分析装置および第２の分析装置の特性に依存する第１の項目と、前記第１および第２の分析装置の特性に依存しない第２の項目とに設定する項目設定部と、
前記項目設定部により設定された前記第１の項目の第１の分析パラメータの値を前記第２の分析装置用の第２のデータ処理装置に対応する第２の分析パラメータの値に変換し、前記項目設定部により設定された前記第２の項目の第１の分析パラメータの値を第２の分析パラメータの値とするパラメータ値変換部とを備える、分析条件データ変換装置。
【請求項２】
前記項目設定部は、前記第２のデータ処理装置に第２の分析パラメータの値として既定値を設定すべき第３の項目を設定する、請求項１または２記載の分析条件データ変換装置。
【請求項３】
前記パラメータ値変換部は、前記第１の項目の第１の分析パラメータの値を予め定められた変換規則に基づいて前記第２の分析パラメータの値に変換する、請求項１または２記載の分析条件データ変換装置。
【請求項４】
前記変換規則は、前記第１の項目の第１の分析パラメータの値に対する予め決定された変換係数の乗算である、請求項３記載の分析条件データ変換装置。
【請求項５】
データ貼り付け領域を有する変換画面を表示する表示部をさらに備え、
前記分析条件データ取得部は、前記データ貼り付け領域に貼り付けられたデータを前記第１の分析条件データとして取得する、請求項１〜４のいずれか一項に記載の分析条件データ変換装置。
【請求項６】
前記表示部は、前記第１のデータ処理装置における前記第１の分析条件データの設定画面を表示し、
前記分析条件データ取得部は、前記設定画面からコピーされて前記変換画面の前記データ貼り付け領域に貼り付けられたデータを前記第１の分析条件データとして取得する、請求項５記載の分析条件データ変換装置。
【請求項７】
前記パラメータ値変換部により得られる第２の分析パラメータの値を前記第２のデータ処理装置に設定可能な形式を有する第２の分析条件データに変換するデータ形式変換部をさらに備える、請求項１〜６のいずれか一項に記載の分析条件データ変換装置。
【請求項８】
前記データ形式変換部は、前記第２の分析条件データを前記第２のデータ処理装置によりインポート可能な形式を有する分析条件ファイルに変換する、請求項７記載の分析条件データ変換装置。
【請求項９】
前記第１の分析装置は第１の質量分析装置であり、前記第２の分析装置は第２の質量分析装置であり、前記第１の項目の第１の分析パラメータは、イオンの生成に関するパラメータである、請求項１〜８のいずれか一項に記載の分析条件データ変換装置。
【請求項１０】
前記第１および第２の質量分析装置の各々は、タンデム型質量分析計、液体クロマトグラフ質量分析計またはガスクロマトグラフ質量分析計を含み、
前記第１の項目の第１の分析パラメータは、前記タンデム型質量分析計における衝突エネルギー、前記液体クロマトグラフ質量分析計におけるインターフェイス電圧または前記ガスクロマトグラフ質量分析計におけるエミッション電流である、請求項９記載の分析条件データ変換装置。
【請求項１１】
請求項１記載の第２のデータ処理装置と、
請求項１〜１０のいずれか一項に記載の分析条件データ変換装置とを備える、データ処理システム。
【請求項１２】
請求項１記載の第２の分析装置と、
請求項１記載の第２のデータ処理装置と、
請求項１〜１０のいずれか一項に記載の分析条件データ変換装置とを備える、分析システム。
【発明の詳細な説明】
【技術分野】
【０００１】
本発明は、分析装置用のデータ処理装置に用いられる分析条件データ変換装置、それを備えたデータ処理システム、およびそれを備えた分析システムに関する。
【背景技術】
【０００２】
質量分析装置等の各種分析装置に分析条件を示すパラメータ（以下、分析パラメータと呼ぶ。）を設定するとともに分析装置により得られた分析結果を表示するために、専用の制御装置または制御・データ処理装置が利用されている（例えば、特許文献１および２参照）。このような制御装置または制御・データ処理装置は、汎用のパーソナルコンピュータ等に制御プログラムまたは制御・データ処理プログラムをインストールすることにより構成される。以下、分析装置に分析パラメータを設定するための制御装置および制御・データ処理装置をデータ処理装置と呼び、制御プログラムまたは制御・データ処理プログラムをデータ処理プログラムと呼ぶ。
【０００３】
データ処理装置のモニタには、分析パラメータの入力用の設定画面が表示される。ユーザが設定画面の複数の設定項目に分析パラメータの値を入力することにより入力された分析パラメータの値が分析装置に反映される。
【先行技術文献】
【特許文献】
【０００４】
【特許文献１】特開２０１１−１４６０００号公報
【特許文献２】特開２０１６−４５７６８号公報
【発明の概要】
【発明が解決しようとする課題】
【０００５】
上記のようなデータ処理装置のデータ処理プログラムは、分析装置の機種ごとに専用に用意されている。データ処理プログラムによって分析パラメータの設定画面は異なり、異なるデータ処理プログラム間に互換性はない。そのため、ある機種の分析装置で用いた分析パラメータの値を他の機種の分析装置に転用する場合でも、各分析装置に専用のデータ処理プログラムを用いて設定画面の複数の設定項目に分析パラメータの値を逐一入力する必要がある。この場合、入力誤りが生じる可能性がある。
【０００６】
また、各分析装置に設定されるべき分析パラメータの値が分析装置の機種に依存する場合がある。そのため、転用元の分析パラメータの値をそのまま使用することができない。そこで、ユーザが転用元の分析パラメータの値を転用先の分析装置に適合するように変更し、転送先のデータ処理装置に入力する。この場合、転用先の分析装置において分析パラメータの値の妥当性を再検討する必要がある。
【０００７】
本発明の目的は、第１の分析装置用の第１のデータ処理装置に設定された第１の分析条件データに含まれる分析パラメータの値を、ユーザが手動で変更する必要なく、自動で第２の分析装置用の第２のデータ処理装置に設定可能な分析パラメータの値に変換することが可能な分析条件データ変換装置、データ処理システムおよび分析システムを提供することである。
【課題を解決するための手段】
【０００８】
（１）本発明の一局面に従う分析条件データ変換装置は、第１の分析装置用の第１のデータ処理装置に設定された分析条件を示す第１の分析条件データを取得する分析条件データ取得部と、分析条件データ取得部により取得された第１の分析条件データに含まれる複数の第１の分析パラメータを、第１の分析装置および第２の分析装置の特性に依存する第１の項目と、第１および第２の分析装置の特性に依存しない第２の項目とに設定する項目設定部と、項目設定部により設定された第１の項目の第１の分析パラメータの値を第２の分析装置用の第２のデータ処理装置に対応する第２の分析パラメータの値に変換し、項目設定部により設定された第２の項目の第１の分析パラメータの値を第２の分析パラメータの値とするパラメータ値変換部とを備える。
【０００９】
その分析条件データ変換装置においては、第１の分析装置用の第１のデータ処理装置に設定された第１の分析条件データが取得される。第１の分析条件データに含まれる複数の第１の分析パラメータが、第１の分析装置および第２の分析装置の特性に依存する第１の項目と、第１および第２の分析装置の特性に依存しない第２の項目とに設定される。設定された第１の項目の第１の分析パラメータの値が第２の分析装置用の第２のデータ処理装置に対応する第２の分析パラメータの値に変換される。また、設定された第２の項目の第１の分析パラメータの値がそのまま第２の分析パラメータの値とされる。
【００１０】
したがって、第１の分析装置用の第１のデータ処理装置に設定された第１の分析条件データに含まれる第１の分析パラメータの値を、ユーザが手動で変更する必要なく、自動で第２の分析装置用の第２のデータ処理装置に設定可能な第２の分析パラメータの値に変換することが可能となる。
【００１１】
（２）項目設定部は、第２のデータ処理装置に第２の分析パラメータの値として既定値を設定すべき第３の項目を設定してもよい。この場合、第３の項目の分析パラメータの値として既定値を第２のデータ処理装置に容易に設定することができる。
【００１２】
（３）パラメータ値変換部は、第１の項目の第１の分析パラメータの値を予め定められた変換規則に基づいて第２の分析パラメータの値に変換してもよい。この場合、第１の分析装置の特性に依存する第１の項目の第１の分析パラメータの値を第２の分析装置の特性に適合する第２の分析パラメータの値に自動的に変換することができる。
【００１３】
（４）変換規則は、第１の項目の第１の分析パラメータの値に対する予め決定された変換係数の乗算であってもよい。この場合、第１および第２の分析装置の特性に依存する第１の分析パラメータの値を第２の分析装置に適合する第２の分析パラメータの値に容易に変換することができる。
【００１４】
（５）分析条件データ変換装置は、データ貼り付け領域を有する変換画面を表示する表示部をさらに備え、分析条件データ取得部は、データ貼り付け領域に貼り付けられたデータを第１の分析条件データとして取得してもよい。
【００１５】
この場合、ユーザが変換画面の貼り付け領域に第１の分析条件データを貼り付けることにより分析条件データ取得部が第１の分析条件データを容易に取得することができる。
【００１６】
（６）表示部は、第１のデータ処理装置における第１の分析条件データの設定画面を表示し、分析条件データ取得部は、設定画面からコピーされて変換画面のデータ貼り付け領域に貼り付けられたデータを第１の分析条件データとして取得してもよい。
【００１７】
この場合、ユーザが第１のデータ処理装置の設定画面の第１の分析条件データをコピーして変換画面の貼り付け領域に貼り付けることにより分析条件データ取得部が第１の分析条件データを容易に取得することができる。
【００１８】
（７）分析条件データ変換装置は、パラメータ値変換部により得られる第２の分析パラメータの値を第２のデータ処理装置に設定可能な形式を有する第２の分析条件データに変換するデータ形式変換部をさらに備えてもよい。この場合、第１の分析装置用の第１のデータ処理装置に設定された第１の分析条件データを第２の分析装置用の第２のデータ処理装置に設定可能な第２の分析条件データに変換することが可能となる。したがって、ユーザが分析パラメータの値を逐一入力することなく、第１のデータ処理装置に設定された第１の分析条件データを第２の分析条件データとして第２のデータ処理装置に容易に転用することが可能となる。
【００１９】
（８）データ形式変換部は、第２の分析条件データを第２のデータ処理装置によりインポート可能な形式を有する分析条件ファイルに変換してもよい。この場合、第２のデータ処理装置により分析条件ファイルをインポートすることにより第２の分析条件データを第２のデータ処理装置に容易に設定することができる。
【００２０】
（９）第１の分析装置は第１の質量分析装置であり、第２の分析装置は第２の質量分析装置であり、第１の項目の第１の分析パラメータは、イオンの生成に関するパラメータであってもよい。
【００２１】
イオンの生成に関するパラメータは第１および第２の分析装置の特性に依存する。この場合、ユーザがイオンの生成に関するパラメータの値を第２の分析装置に適合するように変更しかつ再検証することなく、第１のデータ処理装置に設定された値が第２のデータ処理装置に適合するように自動的に変換される。
【００２２】
（１０）第１および第２の質量分析装置の各々は、タンデム型質量分析計、液体クロマトグラフ質量分析計またはガスクロマトグラフ質量分析計を含み、第１の項目の第１の分析パラメータは、タンデム型質量分析計における衝突エネルギー、液体クロマトグラフ質量分析計におけるインターフェイス電圧またはガスクロマトグラフ質量分析計におけるエミッション電流であってもよい。
【００２３】
衝突エネルギー、インターフェイス電圧およびエミッション電流は、第１および第２の質量分析装置の特性に依存する。この場合、ユーザが衝突エネルギーの値、インターフェイス電圧の値またはエミッション電流の値を第２の分析装置に適合するように変更しかつ再検証することなく、第１のデータ処理装置に設定された値が第２のデータ処理装置に適合するように自動的に変換される。
【００２４】
（１１）本発明の他の局面に従うデータ処理システムは、上記の第２のデータ処理装置と、上記の分析条件データ変換装置とを備える。
【００２５】
そのデータ処理システムにおいては、第１の分析装置用の第１のデータ処理装置に設定された第１の分析条件データに含まれる第１の分析条件データの値を、ユーザが手動で変更することなく、自動で第２の分析装置用の第２のデータ処理装置に設定可能な第２の分析パラメータの値に変換することが可能となる。
【００２６】
（１２）本発明のさらに他の局面に従う分析システムは、上記の第２の分析装置と、上記の第２のデータ処理装置と、上記の分析条件データ変換装置とを備える。
【００２７】
その分析システムにおいては、第１の分析装置用の第１のデータ処理装置に設定された第１の分析条件データに含まれる第１の分析パラメータの値を、ユーザが手動で変更することなく、自動で第２の分析装置用の第２のデータ処理装置に設定可能な第２の分析パラメータの値に変換することが可能となる。
【発明の効果】
【００２８】
本発明によれば、第１の分析装置用の第１のデータ処理装置に設定された第１の分析条件データに含まれる第１の分析パラメータの値を、ユーザが手動で変更することなく、自動で第２の分析装置用の第２のデータ処理装置に設定可能な第２の分析パラメータの値に変換することが可能となる。
【図面の簡単な説明】
【００２９】
【図１】本発明の一実施の形態に係る分析条件データ変換装置を備えた分析システムの構成を示すブロック図である。
【図２】図１の分析条件データ変換装置のハードウエアの構成を示すブロック図である。
【図３】第１のデータ処理装置および第２のデータ処理装置に設定される分析パラメータの例を示す図である。
【図４】図２の分析条件データ変換装置の機能的な構成を示すブロック図である。
【図５】第１のデータ処理装置により表示されるメイン設定画面および拡張設定画面の例を示す模式図である。
【図６】第２のデータ処理装置により表示される第１の設定画面、第２の設定画面および拡張設定画面の例を示す模式図である。
【図７】分析条件データ変換装置により表示部に表示される分析条件データ変換画面の例を示す模式図である。
【図８】分析条件データ変換装置による分析条件データ変換処理を示すフローチャートである。
【発明を実施するための形態】
【００３０】
以下、本発明の実施の形態に係る分析条件データ変換装置、データ処理システムおよび分析システムについて図面を参照しながら詳細に説明する。本実施の形態に係る分析システムは質量分析システムである。
【００３１】
（１）実施の形態に係る分析システムの構成
図１は本発明の一実施の形態に係る分析条件データ変換装置を備えた分析システムの構成を示すブロック図である。図１の分析システム１００は、第１の質量分析装置１０、第２の質量分析装置２０、第１のデータ処理装置３０、第２のデータ処理装置４０および分析条件データ変換装置５０を含む。第１の質量分析装置１０、第２の質量分析装置２０、第１のデータ処理装置３０、第２のデータ処理装置４０および分析条件データ変換装置５０は、ＬＡＮ（ローカルエリアネットワーク）等のネットワークＮＷに接続される。
【００３２】
本実施の形態では、第１の質量分析装置１０は、多重反応モニタリング（以下、ＭＲＭと略記する。）測定が可能なトリプル四重極型液体クロマトグラフ質量分析計（ＬＣ／ＭＳ／ＭＳ）を含む。同様に、第２の質量分析装置２０も、ＭＲＭ測定が可能なトリプル四重極型液体クロマトグラフ質量分析計（ＬＣ／ＭＳ／ＭＳ）を含む。第１の質量分析装置１０の機種と第２の質量分析装置２０の機種とは異なる。
【００３３】
第１のデータ処理装置３０は、第１の質量分析装置１０の分析条件（分析メソッド）を設定するとともに第１の質量分析装置１０により得られた分析結果を解析するために用いられる。第１のデータ処理装置３０は、パーソナルコンピュータ等のコンピュータおよび第１のデータ処理プログラムにより構成される。第１のデータ処理装置３０には、第１の質量分析装置１０の分析条件を示す分析条件データ（以下、第１の分析条件データと呼ぶ。）が設定される。第１の分析条件データは、第１の質量分析装置１０の複数の分析パラメータの値を含み、第１のデータ処理装置３０に設定可能なデータ形式を有する。
【００３４】
ユーザは、第１のデータ処理装置３０の操作部を用いて第１の分析条件データの各分析パラメータの値を設定することができる。第１のデータ処理装置３０の表示部には、設定された第１の分析条件データの各分析パラメータの値が表示される。第１のデータ処理装置３０は、第１の分析条件データに基づいて第１の質量分析装置１０の分析条件を設定する。
【００３５】
第２のデータ処理装置４０は、第２の質量分析装置２０の分析条件（分析メソッド）を設定するとともに第２の質量分析装置２０により得られた分析結果を解析するために用いられる。第２のデータ処理装置４０は、パーソナルコンピュータ等のコンピュータおよび第２のデータ処理プログラムにより構成される。第２のデータ処理装置４０には、第２の質量分析装置２０の分析条件を示す分析条件データ（以下、第２の分析条件データと呼ぶ。）が設定される。第２の分析条件データは、複数の分析パラメータの値を含む。第２の分析条件データは第２のデータ処理装置４０に設定可能なデータ形式を有する。
【００３６】
ユーザは、第２のデータ処理装置４０の操作部を用いて第２の分析条件データの各分析パラメータの値を設定することができる。第２のデータ処理装置４０の表示部には、設定された第２の分析条件データの各分析パラメータの値が表示される。第２のデータ処理装置４０は、第２の分析条件データに基づいて第２の質量分析装置２０に分析条件を設定する。
【００３７】
ユーザは、第２のデータ処理装置４０に設定された第２の分析条件データを分析条件ファイルとしてエキスポートすることができる。また、ユーザは、エキスポートされた分析条件ファイルを第２のデータ処理装置４０にインポートすることができる。それにより、インポートされた分析条件ファイルに基づいて第２のデータ処理装置４０に第２の分析条件データを設定することができる。第２のデータ処理装置４０にインポート（読み込み）可能な分析条件ファイルは、特定のデータ形式を有する。本実施の形態では、第２のデータ処理装置４０にインポート可能な分析条件ファイルは、例えば、ＣＳＶ（Comma Separated Value）形式のテキストファイルである。
【００３８】
分析条件データ変換装置５０は、第１のデータ処理装置３０に設定された第１の分析条件データを第２の質量分析装置２０に適合するように第２の分析条件データに変換する。分析条件データ変換装置５０は、パーソナルコンピュータ等のコンピュータおよび分析条件データ変換プログラムにより構成される。分析条件データ変換装置５０の構成の詳細については後述する。
【００３９】
本実施の形態に係る分析システム１００のうち第２の質量分析装置２０、第２のデータ処理装置４０および分析条件データ変換装置５０が１つ分析システムを構成してもよい。また、第２のデータ処理装置４０および分析条件データ変換装置５０がデータ処理システムを構成してもよい。この場合、第２のデータ処理装置４０および分析条件データ変換装置５０は、同じコンピュータに第１のデータ処理プログラムおよび分析条件データ変換プログラムがインストールされることにより構成されてもよい。
【００４０】
（２）分析条件データ変換装置のハードウエアの構成
図２は図１の分析条件データ変換装置５０のハードウエアの構成を示すブロック図である。図２に示すように、分析条件データ変換装置５０は、ＣＰＵ（中央演算処理装置）１、ＲＡＭ（ランダムアクセスメモリ）２、ＲＯＭ（リードオンリメモリ）３、入出力インターフェイス（Ｉ／Ｆ）４、記憶装置５、操作部６および表示部７により構成される。ＣＰＵ１、ＲＡＭ２、ＲＯＭ３、入出力インターフェイス４、記憶装置５、操作部６および表示部７はバス８に接続される。
【００４１】
記憶装置５は、ハードディスク、半導体メモリ等の記憶媒体を含み、分析条件データ変換プログラム、各種データ、分析条件ファイル、オペレーティングシステム等を記憶する。ＲＯＭ３にはシステムプログラムが記憶される。ＲＡＭ２は、ＣＰＵ１の作業領域として用いられる。ＣＰＵ１が記憶装置５に記憶された分析条件データ変換プログラムをＲＡＭ２上で実行することにより後述する分析条件データ変換処理が行われる。入出力インターフェイス４は、図１のネットワークＮＷに接続される。
【００４２】
操作部６は、キーボード、マウス、タッチパネル等の入力デバイスである。表示部７は、液晶表示装置等の表示デバイスである。ユーザは、操作部６を用いて分析条件データ変換装置５０に各種指示を行うことができる。表示部７には、後述する分析条件データ変換画面が表示される。本実施の形態では、分析条件データ変換装置５０は、ネットワークＮＷを通して第１のデータ処理装置３０および第２のデータ処理装置４０に接続されているので、操作部６を用いて第１のデータ処理装置３０および第２のデータ処理装置４０に各種指示およびデータの入力等を行うことができる。また、表示部７に第１のデータ処理装置３０および第２のデータ処理装置４０の設定画面を表示させることができる。
【００４３】
（３）分析パラメータの種類
図３は第１のデータ処理装置３０および第２のデータ処理装置４０に設定される分析パラメータの例を示す図である。複数の分析パラメータは、質量分析装置の機種に依存しない項目（以下、装置非依存項目と呼ぶ。）、質量分析装置の機種に依存する項目（以下、装置依存項目と呼ぶ。）および既定値（デフォルト値）に設定される項目（以下、既定値項目と呼ぶ。）に分類される。以下、装置非依存項目のパラメータを装置非依存パラメータと呼び、装置依存項目のパラメータを装置依存パラメータと呼び、既定値項目のパラメータを既定値パラメータと呼ぶ。
【００４４】
本実施の形態では、図３に示すように、装置非依存パラメータとして、プリカーサイオンｍ／ｚ（質量電荷比）、プロダクトイオンｍ／ｚ、保持時間および化合物名がある。装置依存パラメータとしては、衝突エネルギーがある。既定値パラメータとしては、Ｑ１プリバイアス電圧、Ｑ３プリバイアス電圧およびデータ取り込み時間がある。
【００４５】
第１の質量分析装置１０では、プリカーサイオンｍ／ｚが“Ｑ１ ｍａｓｓ”で表され、プロダクトイオンｍ／ｚが“Ｑ３ ｍａｓｓ”で表され、保持時間が“Ｔｉｍｅ”で表され、化合物名が“ＩＤ”で表される。また、衝突エネルギーが“ＣＥ”で表される。さらに、Ｑ１プリバイアス電圧が“Ｐｒｅｆｉｌｔｅｒ”で表され、Ｑ３プリバイアス電圧が“Ｃｏｌｌｉｓｉｏｎ Ｃｅｌｌ Ｅｘｉｔ Ｐｏｔｅｎｔｉａｌ”で表され、データ取り込み時間が“Ｄｗｅｌｌ Ｔｉｍｅ”で表される。
【００４６】
一方、第２の質量分析装置２０では、プリカーサイオンｍ／ｚが“Ｐｒｅｃｕｒｓｏｒ ｍ／ｚ”で表され、プロダクトイオンｍ／ｚが“Ｐｒｏｄｕｃｔ ｍ／ｚ”で表され、保持時間が“Ｒｅｔ．Ｔｉｍｅ”で表され、化合物名が“Ｃｏｍｐｏｕｎｄ Ｎａｍｅ”で表される。また、衝突エネルギーが“ＣＥ”で表される。さらに、Ｑ１プリバイアス電圧が“Ｑ１ Ｐｒｅ Ｂｉａｓ”で表され、Ｑ３プリバイアス電圧が“Ｑ３ Ｐｒｅ Ｂｉａｓ”で表され、データ取り込み時間が“Ｄｗｅｌｌ Ｔｉｍｅ”で表される。
【００４７】
（４）分析条件データ変換装置５０の機能的な構成
図４は図２の分析条件データ変換装置５０の機能的な構成を示すブロック図である。図４に示すように、分析条件データ変換装置５０は、変換ツールＣＴ、操作部６、表示部７および記憶装置５により構成される。
【００４８】
変換ツールＣＴは、画面表示制御部５１、分析条件データ取得部５２、項目判定部５３、装置非依存パラメータ抽出部５４ａ、装置依存パラメータ抽出部５４ｂ、既定値取得部５４ｃ、パラメータ値変換部５６、データ形式変換部５７および変換規則記憶部５８を含む。項目判定部５３、装置非依存パラメータ抽出部５４ａ、装置依存パラメータ抽出部５４ｂおよび既定値取得部５４ｃが項目設定部５５を構成する。変換ツールＣＴの各構成要素の機能は、図２のＣＰＵ１が記憶装置５に記憶された分析条件データ変換プログラムを実行することにより実現される。なお、変換ツールＣＴの一部またはすべての構成要素が電子回路等のハードウエアにより実現されてもよい。
【００４９】
画面表示制御部５１は、予め用意された画面データに基づいて表示部７に分析条件データ変換画面を表示させる。分析条件データ取得部５２は、操作部６の操作に基づいて分析条件データ変換画面から第１の分析条件データを取得する。第１の分析条件データの取得方法については後述する。項目設定部５５は、分析条件データ取得部５２により取得された第１の分析条件データに含まれる各分析パラメータを装置非依存項目、装置依存項目または既定値項目のいずれかに設定する。詳細には、項目判定部５３は、第１の分析条件データの各分析パラメータが装置非依存項目に属する装置非依存パラメータであるか、装置依存項目に属する装置依存パラメータであるかまたは既定値項目に属する既定値パラメータであるかを判定する。例えば、各分析パラメータの種類と項目の種類との関係は予め記憶されている。
【００５０】
装置非依存パラメータ抽出部５４ａは、分析条件データ取得部５２により取得された第１の分析条件データから装置非依存パラメータの値を抽出する。装置依存パラメータ抽出部５４ｂは、分析条件データ取得部５２により取得された第１の分析条件データから装置依存パラメータの値を抽出する。既定値取得部５４ｃは、第２のデータ処理装置４０に設定すべき既定値パラメータの既定値を取得する。既定値パラメータの既定値は、記憶装置５に予め記憶される。なお、既定値取得部５４ｃが第２のデータ処理装置４０から既定値パラメータの既定値を取得してもよい。
【００５１】
変換規則記憶部５８は、第１のデータ処理装置３０に設定された装置依存パラメータの値を第２の質量分析装置２０に適合する値に変換するための変換規則を記憶する。本実施の形態では、変換規則は予め決定された変換係数の乗算である。この場合、変換規則記憶部５８は変換係数を記憶する。
【００５２】
本発明者は、５８種類の化合物について第１のデータ処理装置３０に設定された分析パラメータの値と第２のデータ処理装置４０に設定された分析パラメータの値とを比較することにより第１の質量分析装置１０における衝突エネルギーの値と第２の質量分析装置２０における衝突エネルギーの値との間に化合物の種類によらない相関関係があることを見出した。その結果、本発明者は、第１の質量分析装置１０における衝突エネルギーの値を一定の変換係数を用いて第２の質量分析装置２０における衝突エネルギーの値に変換可能であることを見出した。
【００５３】
変換係数は、例えば次の決定方法により決定される。第１および第２のデータ処理装置３０，４０は電圧最適化機能を有する。電圧最適化機能では、設定された化合物が第１および第２の質量分析装置１０，２０において複数の衝突エネルギーの値、複数のＱ１プリバイアス電圧の値および複数のＱ３プリバイアス電圧の値で分析され、最も高いピーク強度が得られたときの衝突エネルギーの値が衝突エネルギーの最適値と決定される。なお、同様にして、Ｑ１プリバイアス電圧の最適値およびＱ３プリバイアス電圧の最適値も決定される。第１の質量分析装置１０および第１のデータ処理装置３０により得られた複数の化合物についての衝突エネルギーの平均値と第２の質量分析装置２０および第２のデータ処理装置４０により得られた複数の化合物についての衝突エネルギーの平均値との比率が変換係数として決定される。
【００５４】
パラメータ値変換部５６は、変換規則記憶部５８に記憶された変換規則に基づいて、装置依存パラメータ抽出部５４ｂにより抽出された装置依存パラメータの値を第２の質量分析装置２０に適合する値に変換する。本実施の形態では、パラメータ値変換部５６は、装置依存パラメータ抽出部５４ｂにより抽出された装置依存パラメータの値に変換係数を乗算する。それにより、第２の質量分析装置２０に適合する装置依存パラメータの値が得られる。
【００５５】
データ形式変換部５７は、装置非依存パラメータ抽出部５４ａにより抽出された装置非依存パラメータの値、パラメータ値変換部５６により得られた装置依存パラメータの値および既定値取得部５４ｃにより取得された既定値パラメータの値を含む分析条件データを予め定められたデータ形式を有する第２の分析条件データに変換する。さらに、データ形式変換部５７は、変換後の第２の分析条件データを分析条件ファイルとして記憶装置５に保存する。ここで、予め定められたデータ形式は、第２のデータ処理装置４０にインポート可能なデータ形式である。
【００５６】
（５）第１のデータ処理装置３０における設定画面の例
図５は第１のデータ処理装置３０により表示されるメイン設定画面および拡張設定画面の例を示す模式図である。ユーザは、第１のデータ処理装置３０の表示部または分析条件データ変換装置５０の表示部７に、図４のメイン設定画面２００を表示させることができる。
【００５７】
メイン設定画面２００は、パラメータテーブルＴＢＬを含む。パラメータテーブルＴＢＬは、プリカーサイオンｍ／ｚの入力欄２０１、プロダクトイオンｍ／ｚの入力欄２０２、保持時間の入力欄２０３、化合物名の入力欄２０４、衝突エネルギーの入力欄２０５および選択欄２０６を含む。また、メイン設定画面２００は、第１の質量分析装置１０をＳｃｈｅｄｕｌｅｄ ＭＲＭ測定モードに設定するか否かを示すチェックボックス２０７をさらに含む。チェックボックス２０７にチェックが入れられると、入力欄２０３に保持時間が表示され、チェックボックス２０７のチェックが外されると、入力欄２０３にデータ取り込み時間が表示される。
【００５８】
ユーザは、入力欄２０１〜２０４に装置非依存パラメータの値を入力することができる。また、入力欄２０５に装置依存パラメータの値を入力することができる。既定値パラメータの値は、予め定められた既定値に設定される。本実施の形態では、Ｑ１プリバイアス電圧、Ｑ３プリバイアス電圧およびデータ取り込み時間がそれぞれ既定値に設定される。
【００５９】
ユーザは、第１のデータ処理装置３０の表示部または分析条件データ変換装置５０の表示部７に拡張設定画面２１０を表示させることができる。拡張設定画面２１０は、Ｑ１プリバイアス電圧の入力欄２１１およびＱ３プリバイアス電圧の入力欄２１２を有する。入力欄２１１，２１２には、自動的に設定された既定値パラメータの値が表示される。ユーザは、第１のデータ処理装置３０の操作部または分析条件データ変換装置５０の操作部６を用いて入力欄２１１，２１２の値を変更することができる。また、ユーザは、第１のデータ処理装置３０の表示部または分析条件データ変換装置５０の表示部７に別画面（図示せず）を表示させることによりデータ取り込み時間の既定値を確認することができる。
【００６０】
（６）第２のデータ処理装置４０における設定画面の例
図６は第２のデータ処理装置４０により表示される第１の設定画面、第２の設定画面および拡張設定画面の例を示す模式図である。ユーザは、第２のデータ処理装置４０の表示部または分析条件データ変換装置５０の表示部７に、図６の第１の設定画面４１０および第２の設定画面４２０を表示させることができる。
【００６１】
第１の設定画面４１０は、パラメータテーブルＴＢ１および化合物名の入力欄４１５を含む。パラメータテーブルＴＢ１は、プリカーサイオンｍ／ｚの入力欄４１１、プロダクトイオンｍ／ｚの入力欄４１２、データ取り込み時間の入力欄４１３および衝突エネルギーの入力欄４１４を含む。
【００６２】
第２の設定画面４２０は、パラメータテーブルＴＢ２を含む。パラメータテーブルＴＢ２は、化合物名の入力欄４２１、タイプの入力欄４２２、ｍ／ｚの入力欄４２３および保持時間の入力欄４２４を含む。
【００６３】
ユーザは、第１の設定画面４１０の入力欄４１１，４１２および第２の設定画面４２０の入力欄４２４に装置非依存パラメータの値を入力することができる。また、ユーザは、第１の設定画面４１０の入力欄４１４に装置依存パラメータの値を入力することができる。
【００６４】
既定値パラメータの値は、予め定められた既定値に設定される。本実施の形態では、Ｑ１プリバイアス電圧、Ｑ３プリバイアス電圧およびデータ取り込み時間がそれぞれ既定値に設定される。第１の設定画面４１０の入力欄４１３には、データ取り込み時間の既定値が表示される。
【００６５】
第１の設定画面４１０のパラメータテーブルＴＢ１には、入力欄４１５に入力された化合物名により特定される化合物について分析パラメータの値が表示される。図６の例では、化合物“Ｃｏｎｐｏｕｎｄ Ａ”に対応する分析パラメータの値が１番目のチャンネルＣｈに表示される。
【００６６】
第２の設定画面４２０のパラメータテーブルＴＢ２には、複数の化合物に対応する分析パラメータの値が表示される。図６の例では、化合物“Ｃｏｍｐｏｕｎｄ Ａ”、“Ｃｏｍｐｏｕｎｄ Ｂ”および“Ｃｏｍｐｏｕｎｄ Ｃ”に対応する分析パラメータの値が表示される。入力欄４２２には、各化合物のタイプが表示される。ユーザは、入力欄４２２に表示されるタイプとして、分析対象“Ｔａｒｇｅｔ”の他に、内部標準、リファレンスまたは内部標準・リファレンスを選択することができる。入力欄４２３には、各化合物についてプリカーサイオンｍ／ｚの値およびプロダクトイオンｍ／ｚの値が表示される。入力欄４２４には、各化合物について保持時間の値が表示される。
【００６７】
ユーザは、第２のデータ処理装置４０の表示部または分析条件データ変換装置５０の表示部７に拡張設定画面４３０を表示させることができる。拡張設定画面４３０は、パラメータテーブルＴＢ３および化合物名の入力欄４３５を含む。パラメータテーブルＴＢ３は、データ取り込み時間の入力欄４３１、Ｑ１プリバイアス電圧の入力欄４３２、衝突エネルギーの入力欄４３３およびＱ３バイアス電圧の入力欄４３４が表示される。入力欄４３１，４３３，４３５には、第１の設定画面４１０の入力欄４１３，４１４，４１５と同じデータ取り込み時間の値、衝突エネルギーの値および化合物名がそれぞれ表示される。入力欄４３２，４３４には、自動的に設定された既定値パラメータの値が表示される。ユーザは、拡張設定画面４３０の入力欄４３２，４３４に表示された既定値パラメータの値を変更することができる。
【００６８】
以下に説明するように、分析条件データ変換装置５０を用いて、第１のデータ処理装置３０に設定された第１の分析条件データに基づいて第２のデータ処理装置４０に設定可能な第２の分析条件データを生成することができる。
【００６９】
（７）分析条件データ変換画面の例
図７は分析条件データ変換装置５０により表示部７に表示される分析条件データ変換画面の例を示す模式図である。ユーザは、操作部６を用いて表示部７に図６の分析条件データ変換画面５００を表示させることができる。
【００７０】
分析条件データ変換画面５００は、第１の質量分析装置１０がＳｃｈｅｄｕｌｅｄ ＭＲＭ測定モードに設定されているか否かを示すチェックボックス５０１、および第１のデータ処理装置３０の第１の分析条件データが貼り付けられる貼り付け領域５０２を含む。また、分析条件データ変換画面５００は、分析条件ファイルの保存場所を示す入力欄５０３、変換係数であるＣＥ（衝突エネルギー）係数を表示する表示欄５０４、ファイル名の入力欄５０５および保存ボタン５０６を含む。ユーザは、表示欄５０４に表示されたＣＥ係数を変更することができる。
【００７１】
（８）分析条件データ変換処理
次に、図４の分析条件データ変換装置５０を用いた分析条件データ変換処理について説明する。図８は分析条件データ変換装置５０による分析条件データ変換処理を示すフローチャートである。図８の分析条件データ変換処理は、ＣＰＵ１が分析条件データ変換プログラムを実行することにより行われる。
【００７２】
ユーザは、操作部６を用いて分析条件データ変換プログラムを起動する。図４の画面表示制御部５１は、表示部７に図５のメイン設定画面２００を表示させる（ステップＳ１）。また、画面表示制御部５１は、表示部７に図７の分析条件データ変換画面５００を表示させる（ステップＳ２）。
【００７３】
ユーザは、操作部６を用いてメイン設定画面２００の選択欄２０６を指定することによりパラメータテーブルＴＢＬを選択およびコピーする。それにより、入力欄２０１〜２０５の分析パラメータの値がオペレーティングシステムのクリップボード（記憶領域）に記憶される。次いで、ユーザは、操作部６を用いてクリップボードの内容を分析条件データ変換画面５００の貼り付け領域５０２に貼り付ける。この場合、第１の分析条件データが貼り付け領域５０２にテキストデータとして貼り付けられる。
【００７４】
画面表示制御部５１は、分析条件データ変換画面５００の貼り付け領域５０２に第１の分析条件データが貼り付けられたか否かを判定する（ステップＳ３）。貼り付け領域５０２に第１の分析条件データが貼り付けられた場合には、図４の分析条件データ取得部５２は、貼り付け領域５０２の第１の分析条件データを取得する（ステップＳ４）。項目判定部５３は、分析条件データ取得部５２により取得された第１の分析条件データの各分析パラメータが装置非依存項目、装置依存項目または既定値項目のいずれに属するかを判定する（ステップＳ５）。それより、各分析パラメータの項目が設定される。
【００７５】
次に、図４の装置非依存パラメータ抽出部５４ａは、分析条件データ取得部５２により取得された第１の分析条件データから装置非依存パラメータの値を抽出する（ステップＳ６）。図５の例では、装置非依存パラメータの値として、入力欄２０１のプリカーサイオンｍ／ｚの値、入力欄２０２のプロダクトイオンｍ／ｚの値、入力欄２０３の保持時間の値および入力欄２０４の化合物名が抽出される。
【００７６】
図４の装置依存パラメータ抽出部５４ｂは、分析条件データ取得部５２により取得された第１の分析条件データから装置依存パラメータの値を抽出する（ステップＳ７）。図５の例では、装置依存パラメータの値として、入力欄２０５の衝突エネルギーの値が抽出される。
【００７７】
次に、図４のパラメータ値変換部５６は、変換規則記憶部５８に記憶される変換係数を取得する（ステップＳ８）。本実施の形態では、変換係数として、衝突エネルギー係数が図７の分析条件データ変換画面５００の表示欄５０４に表示される。さらに、パラメータ値変換部５６は、装置依存パラメータ抽出部５４ｂにより抽出された装置依存パラメータの値に取得した変換係数を乗算することにより装置依存パラメータの値を第２の質量分析装置２０に適合する値に変換する（ステップＳ９）。図７の例では、衝突エネルギーの値にＣＥ係数の値が乗算される。また、既定値取得部５４ｃは、記憶装置５に記憶される既定値パラメータの既定値を取得する（ステップＳ１０）。
【００７８】
次に、データ形式変換部５７は、ユーザにより分析条件ファイルの保存が指示されたか否かを判定する（ステップＳ１１）。図７の例では、ユーザは、保存ボタン５０６を操作することにより分析条件ファイルの保存を指示することができる。
【００７９】
分析条件ファイルの保存が指示された場合には、データ形式変換部５７は、装置非依存パラメータ抽出部５４ａにより抽出された装置非依存パラメータの値、パラメータ値変換部５６により得られた変換後の装置依存パラメータの値および既定値取得部５４ｃにより取得された既定値パラメータの値を予め定められたデータ形式に変換する（ステップＳ１２）。それにより、第２の分析条件データが得られる。さらに、データ形式変換部５７は、第２の分析条件データを含む分析条件ファイルを作成する（ステップＳ１３）。上記のように、本実施の形態では、分析条件ファイルは、例えばＣＳＶ形式のテキストファイルである。データ形式変換部５７は、分析条件ファイルを記憶装置５に保存し（ステップＳ１４）、分析条件データ変換処理を終了する。
【００８０】
ステップＳ１０でユーザが保存ボタン５０６を操作せずに貼り付け領域５０２への第１の分析条件データの貼り付けを再度行った場合には、ステップＳ３〜Ｓ１１の処理が再度行われる。
【００８１】
ユーザは、操作部６を操作することにより分析条件データ変換装置５０の記憶装置５に保存された分析条件ファイルを第２のデータ処理装置４０にインポートすることができる。それにより、第２のデータ処理装置４０に第２の分析条件データが設定される。この場合、設定された第２の分析条件データの複数の分析パラメータの値が図６の第１の設定画面４１０の入力欄４１１〜４１５、第２の設定画面４２０の入力欄４２１〜４２４および拡張設定画面４３０の入力欄４３１〜４３５に表示される。この場合、分析条件ファイルの第２の分析条件データにおけるすべての化合物についての分析パラメータの値がチャンネルＣｈの１番目に設定され、分析条件ファイルに対応するイベントが生成される。
【００８２】
なお、図７のチェックボックス５０１のチェックが外されると、保持時間として貼り付け領域５０２に貼り付けられた第１の分析条件データの保持時間の値が用いられず、第２のデータ処理装置４０における既定値が用いられる。
【００８３】
（９）実施の形態の効果
本実施の形態に係る分析条件データ変換装置５０においては、第１の質量分析装置１０用の第１のデータ処理装置３０に設定された第１の分析条件データが第２の質量分析装置２０用の第２のデータ処理装置４０に設定可能な第２の分析条件データに変換されるとともに、第２の分析条件データが第２のデータ処理装置４０によりインポート可能な分析条件ファイルとして保存される。この場合、装置非依存パラメータの値としては第１のデータ処理装置３０に設定された値が用いられ、装置非依存パラメータの値としては変換規則による変換後の値が用いられる。
【００８４】
したがって、ユーザは、分析パラメータの値を逐一入力することなく、分析条件ファイルを第２のデータ処理装置４０にインポートすることにより第１のデータ処理装置３０に設定された第１の分析条件データを第２のデータ処理装置４０に第２の分析条件データとして容易に転用することができる。それにより、ユーザによる分析パラメータの値の入力誤りが生じない。また、変換規則の妥当性が予め検討されているので、ユーザは第２のデータ処理装置４０に設定された各分析パラメータの値の妥当性を再検討する必要がなくなる。
【００８５】
また、第２の分析条件データは既定値パラメータの値も含むので、第２のデータ処理装置４０に装置非依存パラメータの値および装置依存パラメータの値とともに既定値パラメータの既定値を一括して設定することができる。
【００８６】
さらに、ユーザが第１のデータ処理装置３０のメイン設定画面２００のパラメータテーブルＴＢＬをコピーして分析条件データ変換装置５０の分析条件データ変換画面５００の貼り付け領域５０２に貼り付けるだけで分析条件データ変換装置５０により第１の分析条件データが取得される。したがって、第１の分析条件データを分析条件データ変換装置５０に入力するためのユーザの負担が増加しない。
【００８７】
（１０）変換規則の他の例
装置依存パラメータの値の変換規則は変換係数の乗算に限定されない。例えば、変換規則がライブラリの検索であってもよい。具体的には、化合物ごとに第２の質量分析装置２０による分析結果を分析条件データ（第２の分析条件データ）とともにライブラリに保存する。第１の分析条件データに含まれる装置非依存パラメータの値をキーとしてライブラリ内の化合物を検索し、検索された化合物について設定された装置依存パラメータの値を変換後の装置依存パラメータの値として抽出する。これにより、第１のデータ処理装置３０に設定された装置依存パラメータの値が第２の質量分析装置２０に適合する値に変換される。
【００８８】
（１１）他の実施の形態
（ａ）本発明は、第１および第２の質量分析装置１０，２０が液体クロマトグラフ質量分析計（ＬＣ／ＭＳ）、ガスクロマトグラフ質量分析計（ＧＣ／ＭＳ）、またはイオンクロマトグラフ質量分析計等の他の質量分析計を含む場合にも適用される。第１および第２の質量分析装置１０，２０が液体クロマトグラフ質量分析計（ＬＣ／ＭＳ）を含む場合には、液体クロマトグラフと質量分析計とのインターフェイスにおけるインターフェイス電圧が装置依存パラメータである。第１および第２の質量分析装置１０，２０がガスクロマトグラフ質量分析計（ＧＣ／ＭＳ）を含む場合には、イオン源のフィラメントに流れるエミッション電流が装置依存パラメータである。
【００８９】
（ｂ）本発明は、第１および第２の質量分析装置１０，２０が飛行時間型質量分析計、トリプル四重極型質量分析計、シングル四重極型質量分析計、マトリクス支援レーザ脱離イオン化（ＭＡＬＤＩ）法によるイオン源を用いた質量分析計、イオントラップ質量分析計、またはフーリエ変換イオンサイクロトロン共鳴質量分析計等の種々の質量分析計を含む場合にも適用される。
【００９０】
（ｃ）本発明は、第１および第２の分析装置が質量分析装置である場合に限らず、第１および第２の分析装置が装置依存パラメータおよび装置非依存パラメータを有する他の分析装置である場合にも適用可能である。
【００９１】
（ｄ）上記実施の形態では、別個のコンピュータにそれぞれ第１のデータ処理プログラム、第２のデータ処理プログラムおよび分析条件データ変換プログラムがインストールされることにより第１のデータ処理装置３０、第２のデータ処理装置４０および分析条件データ変換装置５０がそれぞれ構成されるが、本発明はこれに限定されない。
【００９２】
例えば、同じコンピュータに第１のデータ処理プログラム、第２のデータ処理プログラムおよび分析条件データ変換プログラムがインストールされることにより第１のデータ処理装置３０、第２のデータ処理装置４０および分析条件データ変換装置５０が構成されてもよい。また、第１のデータ処理プログラム、第２のデータ処理プログラムおよび分析条件データ変換プログラムのうち２つが同じコンピュータにインストールされ、他の１つが他のコンピュータにインストールされることにより、第１のデータ処理装置３０、第２のデータ処理装置４０および分析条件データ変換装置５０が構成されてもよい。
【００９３】
また、上記実施の形態では、第１のデータ処理装置３０、第２のデータ処理装置４０および分析条件データ変換装置５０がネットワークＮＷにより接続されるが、本発明はこれに限定されない。例えば、第１のデータ処理装置３０、第２のデータ処理装置４０および分析条件データ変換装置５０が同じコンピュータにより構成される場合には、このコンピュータはネットワークに接続されなくてもよい。さらに、第１のデータ処理装置３０、第２のデータ処理装置４０および分析条件データ変換装置５０の全てまたは一部が別個のコンピュータにより構成される場合には、ＵＳＢ（Universal Serial Bus）メモリ等の記憶媒体を通して分析条件データが転送されてもよい。
【符号の説明】
【００９４】
１…ＣＰＵ，２…ＲＡＭ，３…ＲＯＭ，４…入出力インターフェイス，５…記憶装置，６…操作部，７…表示部，８…バス，１０…第１の質量分析装置，２０…第２の質量分析装置，３０…第１のデータ処理装置，４０…第２のデータ処理装置，５０…分析条件データ変換装置，５１…画面表示制御部，５２…分析条件データ取得部，５３…項目判定部，５４ａ…装置非依存パラメータ抽出部，５４ｂ…装置依存パラメータ抽出部，５４ｃ…既定値取得部，５５…項目設定部，５６…パラメータ値変換部，５７…データ形式変換部，５８…変換規則記憶部，１００…分析システム，２００…メイン設定画面，２０１〜２０５，２１１，２１２，４１１〜４１５，４２１〜４２４，４３１〜４３５，５０３，５０５…入力欄，２０６…選択欄，２０７，５０１…チェックボックス，２１０，４３０…拡張設定画面，４１０…第１の設定画面，４２０…第２の設定画面，５００…分析条件データ変換画面，５０２…貼り付け領域，５０４…表示欄，５０６…保存ボタン，ＣＴ…変換ツール，Ｃｈ…チャンネル，ＮＷ…ネットワーク，ＴＢ１，ＴＢ２，ＴＢ３，ＴＢＬ…パラメータテーブル
【図１】
2019056610.tif 000003
【図２】
2019056610.tif 000004
【図３】
2019056610.tif 000005
【図４】
2019056610.tif 000006
【図５】
2019056610.tif 000007
【図６】
2019056610.tif 000008
【図７】
2019056610.tif 000009
【図８】
2019056610.tif 000010